(57)【要約】 【課題】  医用画像に関する特定処理の指示命令を行うコマンド名の音声入力を、確実且つ迅速に行えるようにすること。【解決手段】  ＣＰＵは、マイクから音声入力された音声の音声データがＡ／Ｄ変換器から出力されると、その音声データの音声認識を行って文字情報に変換して入力文字列２４０として記憶部２４に記憶する。そして、音声入力モードとして裏モードが選択されている場合は、コマンドテーブル２４２に記憶された標準コマンド名よりも字数の短い裏コマンド名と入力文字列２４０とを比較する。ＣＰＵは、コマンドテーブル２４２の裏コマンド名のうち、一致した裏コマンド名に対応付けられた標準コマンド名の指示命令を実行する。【選択図】図３
2007226388.tif 000002
【特許請求の範囲】
【請求項１】
音声入力手段と、
前記音声入力手段により入力された音声の音声認識を行って文字情報に変換する音声認識手段と、
医用画像に関する特定処理の実行の指示命令を行うコマンド名と、当該コマンド名より字数が短い短縮コマンド名とを対応づけて記憶する記憶手段と、
前記音声認識手段により変換された文字情報と、前記記憶手段に記憶された短縮コマンド名とを比較する比較手段と、
前記比較手段による比較の結果が一致した場合に、当該比較した短縮コマンド名に対応づけられた前記コマンド名の指示命令を実行するコマンド実行手段と、
を備えることを特徴とするコマンド入力装置。
【請求項２】
第１及び第２の音声入力モードの何れかを選択する選択手段を更に備え、
前記比較手段は、
前記選択手段により第１の音声入力モードが選択された場合、前記音声認識手段により変換された文字情報と前記コマンド名とを比較し、
前記第２の音声入力モードが選択された場合、前記音声認識手段により変換された文字情報と前記短縮コマンド名とを比較することを特徴と請求項１に記載のコマンド入力装置。
【請求項３】
前記選択手段は、
前記音声認識手段により変換された文字情報に基づいて前記第１及び第２の音声入力モードの何れかを選択することを特徴とする請求項２に記載のコマンド入力装置。
【請求項４】
音声入力手段と、
前記音声入力手段により入力された音声の音声認識を行って文字情報に変換する音声認識手段と、
医用画像に関する特定処理の実行の指示命令を行うコマンド名を複数記憶する記憶手段と、
前記記憶手段に記憶されたコマンド名の中から、前記音声認識手段により変換された文字情報に類似するコマンド名を抽出する抽出手段と、
前記コマンド名よりも字数が短い識別文字情報を、前記抽出手段により抽出されたコマンド毎に対応づけて一覧表示する一覧表示手段と、
前記音声認識手段により変換された文字情報と前記一覧表示された識別文字情報とを比較する比較手段と、
前記比較手段による比較の結果が一致した場合に、当該比較した識別文字情報に対応づけて表示された前記コマンド名の指示命令を実行するコマンド実行手段と、
を備えることを特徴とするコマンド入力装置。
【請求項５】
前記抽出手段は、
前記記憶手段に記憶されたコマンド名の中から、前記変換された文字情報と先頭一致するコマンド名を抽出することを特徴とする請求項４に記載のコマンド入力装置。
【請求項６】
前記一覧表示手段は、
前記抽出手段により抽出されたコマンド名をユーザの使用頻度の高い順に一覧表示する頻度順表示手段を有することを特徴とする請求項４又は５に記載のコマンド入力装置。
【請求項７】
前記一覧表示手段は、
前記抽出手段により抽出されたコマンド名のうち、前記コマンド実行手段が直前に実行した指示命令のコマンド名と関連性のあるコマンド名を一覧表示する関連順一覧表示手段を有することを特徴とする請求項４〜６の何れか一項に記載のコマンド入力装置。
【請求項８】
医用画像に関する特定処理の実行は、外部機器への転送、記憶部への書き込み及び表示部への表示の少なくとも何れかを含むことを特徴とする請求項１〜７の何れか一項に記載のコマンド入力装置。
【請求項９】
コンピュータを、
音声入力手段により入力された音声の音声認識を行って文字情報に変換する音声認識手段、
医用画像に関する特定処理の実行の指示命令を行うコマンド名と、当該コマンド名より字数が少ない短縮コマンド名とを対応づけて記憶する記憶手段、
前記音声認識手段により変換された文字情報と、前記記憶手段に記憶された短縮コマンド名とを比較する比較手段、
前記比較手段による比較の結果が一致した場合に、当該比較した短縮コマンド名に対応づけられた前記コマンド名の指示命令を実行するコマンド実行手段、
として機能させるためのプログラム。
【請求項１０】
コンピュータを、
音声入力手段により入力された音声の音声認識を行って文字情報に変換する音声認識手段、
医用画像に関する特定処理の実行の指示命令を行うコマンド名を複数記憶する記憶手段、
前記記憶手段に記憶されたコマンド名の中から、前記音声認識手段により変換された文字情報に類似するコマンド名を抽出する抽出手段、
前記抽出手段により抽出されたコマンド名毎に識別文字情報を対応づけて一覧表示する一覧表示手段、
前記音声認識手段により変換された文字情報と前記一覧表示された識別文字情報とを比較する比較手段、
前記比較手段による比較の結果が一致した場合に、当該比較した識別文字情報に対応づけて表示された前記コマンド名の指示命令を実行するコマンド実行手段、
として機能させるためのプログラム。
【発明の詳細な説明】
【技術分野】
【０００１】
本発明は、医用画像に関する特定処理の実行の指示命令を行うコマンド名を入力するコマンド入力装置及びプログラムに関する。
【背景技術】
【０００２】
従来から、ＣＴ（Computed Tomography）やＣＲ（Computed Radiography）、ＭＲＩ（Magnetic Resonance Imaging）、乳房撮影装置、超音波／内視鏡診断装置等といった医用画像生成装置（以下、「モダリティ」という。）によって撮影・生成された医用画像を、イメージャやビューア等の出力装置に転送する医用画像転送装置が知られている。
【０００３】
この医用画像転送装置は、モダリティから出力される医用画像のデータ信号（例えば、ビデオ信号やデジタルデータ）を取り込んで、例えば、ＤＩＣＯＭ（Digital Imaging and Communications in Medicine）規格に基づいて静止画像データや動画像データ（以下、これらのデータを「画像データ」と総称する。）に変換する。
【０００４】
そして、その画像データに関する各種機能として、イメージャやサーバ等の外部機器に転送出力する機能、画像データを一時的に内部のメモリに記憶する機能、画像データを再生出力する機能等を実行する。撮影技師等のユーザは、これらの機能の実行を、医用画像転送装置に設けられたキースイッチやフットスイッチ等の操作することで指示する。
【０００５】
例えば、ユーザが、超音波診断装置のトランスデューサを患者の腹部に当てながら超音波映像を観察し、当該超音波映像の静止画をプリント出力するとした場合には、キースイッチを押下して出力装置への転送を指示する。このとき、ユーザは、モダリティと医用画像転送装置の両方を操作しなければならない。また、医用画像転送装置の操作のために視線をモダリティから外す可能性があるため診断の妨げになる共に、様々な機器に接触することは医療衛生上にも問題である。
【０００６】
このため、医用画像に関する特定処理の指示命令を行うコマンド名の音声入力により行う技術が考案され、例えば、次のような技術が知られている。即ち、マイクから音声入力したコマンド名（音声データ）が、予め登録されているコマンド名（音声データ）と完全一致しなかった場合に、音声入力されたコマンド名と類似しているものを抽出して、その抽出したコマンド名がユーザの音声入力であったか否かの確認を求める技術が知られている（例えば、特許文献１及び２参照）。
【特許文献１】特開２０００−５１５８号公報
【特許文献２】特開２００４−２６７６３４号公報
【発明の開示】
【発明が解決しようとする課題】
【０００７】
しかし、医療の現場は、人の往来が激しいと共に医療機器から発せられる音声や放送音等が多いため、外部環境のノイズの影響を受けて音声認識の認識率が低下してしまう可能性がある。このため、特許文献１及び２の技術において、音声認識に失敗した場合には、類似するとして抽出したコマンド名（音声データ）に、ユーザが発声したコマンド名が含まれず、音声入力による指示命令ができなくなる。
【０００８】
この場合、ユーザは、意図するコマンド名が抽出されるまでコマンド名の発声を繰り返さなければならず、医用画像転送装置への指示命令に時間がかかってしまう。特に、医用画像の取り込みは、患者に負担を与えないためにも、的確且つ迅速に行うことが望ましいが、医用画像転送装置への指示命令に時間がかってしまうと、患者への負担に与えることとなってしまった。
【０００９】
本発明は、上述したような課題に鑑みて為されたものであり、その目的とすることころは、医用画像に関する特定処理の指示命令を行うコマンド名の音声入力を、確実且つ迅速に行えるようにすることである。
【課題を解決するための手段】
【００１０】
以上の課題を解決するために、請求項１に記載のコマンド入力装置は、
音声入力手段と、
前記音声入力手段により入力された音声の音声認識を行って文字情報に変換する音声認識手段と、
医用画像に関する特定処理の実行の指示命令を行うコマンド名と、当該コマンド名より字数が短い短縮コマンド名とを対応づけて記憶する記憶手段と、
前記音声認識手段により変換された文字情報と、前記記憶手段に記憶された短縮コマンド名とを比較する比較手段と、
前記比較手段による比較の結果が一致した場合に、当該比較した短縮コマンド名に対応づけられた前記コマンド名の指示命令を実行するコマンド実行手段と、
を備えることを特徴としている。
【００１１】
請求項２に記載の発明は、請求項１に記載の発明において、
第１及び第２の音声入力モードの何れかを選択する選択手段を更に備え、
前記比較手段は、
前記選択手段により第１の音声入力モードが選択された場合、前記音声認識手段により変換された文字情報と前記コマンド名とを比較し、
前記第２の音声入力モードが選択された場合、前記音声認識手段により変換された文字情報と前記短縮コマンド名とを比較することを特徴としている。
【００１２】
請求項３に記載の発明は、請求項２に記載の発明において、
前記選択手段は、
前記音声認識手段により変換された文字情報に基づいて前記第１及び第２の音声入力モードの何れかを選択することを特徴としている。
【００１３】
請求項４に記載のコマンド入力装置は、
音声入力手段と、
前記音声入力手段により入力された音声の音声認識を行って文字情報に変換する音声認識手段と、
医用画像に関する特定処理の実行の指示命令を行うコマンド名を複数記憶する記憶手段と、
前記記憶手段に記憶されたコマンド名の中から、前記音声認識手段により変換された文字情報に類似するコマンド名を抽出する抽出手段と、
前記コマンド名よりも字数が短い識別文字情報を、前記抽出手段により抽出されたコマンド毎に対応づけて一覧表示する一覧表示手段と、
前記音声認識手段により変換された文字情報と前記一覧表示された識別文字情報とを比較する比較手段と、
前記比較手段による比較の結果が一致した場合に、当該比較した識別文字情報に対応づけて表示された前記コマンド名の指示命令を実行するコマンド実行手段と、
を備えることを特徴としている。
【００１４】
請求項５に記載の発明は、請求項４に記載の発明において、
前記抽出手段は、
前記記憶手段に記憶されたコマンド名の中から、前記変換された文字情報と先頭一致するコマンド名を抽出することを特徴としている。
【００１５】
請求項６に記載の発明は、請求項４又は５に記載の発明において、
前記一覧表示手段は、
前記抽出手段により抽出されたコマンド名をユーザの使用頻度の高い順に一覧表示する頻度順表示手段を有することを特徴としている。
【００１６】
請求項７に記載の発明は、請求項４〜６の何れか一項に記載の発明において、
前記一覧表示手段は、
前記抽出手段により抽出されたコマンド名のうち、前記コマンド実行手段が直前に実行した指示命令のコマンド名と関連性のあるコマンド名を一覧表示する関連順一覧表示手段を有することを特徴としている。
【００１７】
請求項８に記載の発明は、請求項１〜７の何れか一項に記載の発明において、
医用画像に関する特定処理の実行は、外部機器への転送、記憶部への書き込み及び表示部への表示の少なくとも何れかを含むことを特徴としている。
【００１８】
請求項９に記載のプログラムは、コンピュータを、
音声入力手段により入力された音声の音声認識を行って文字情報に変換する音声認識手段、
医用画像に関する特定処理の実行の指示命令を行うコマンド名と、当該コマンド名より字数が短い短縮コマンド名とを対応づけて記憶する記憶手段、
前記音声認識手段により変換された文字情報と、前記記憶手段に記憶された短縮コマンド名とを比較する比較手段、
前記比較手段による比較の結果が一致した場合に、当該比較した短縮コマンド名に対応づけられた前記コマンド名の指示命令を実行するコマンド実行手段、
として機能させることを特徴としている。
【００１９】
請求項１０に記載のプログラムは、コンピュータを、
音声入力手段により入力された音声の音声認識を行って文字情報に変換する音声認識手段、
医用画像に関する特定処理の実行の指示命令を行うコマンド名を複数記憶する記憶手段、
前記記憶手段に記憶されたコマンド名の中から、前記音声認識手段により変換された文字情報に類似するコマンド名を抽出する抽出手段、
前記抽出手段により抽出されたコマンド名毎に識別文字情報を対応づけて一覧表示する一覧表示手段、
前記音声認識手段により変換された文字情報と前記一覧表示された識別文字情報とを比較する比較手段、
前記比較手段による比較の結果が一致した場合に、当該比較した識別文字情報に対応づけて表示された前記コマンド名の指示命令を実行するコマンド実行手段、
として機能させることを特徴としている。
【発明の効果】
【００２０】
請求項１及び９に記載の発明によれば、音声認識して変換した文字情報と、短縮コマンド名とを比較して一致した場合に、その短縮コマンド名に対応付けられたコマンド名の指示命令を実行する。一般に、文字情報同士の比較は、その比較する字数が短い方が精度が向上する。このため、文字情報との比較は、コマンド名よりも短縮コマンド名の方が精度を高められる。従って、医用画像に関する特定処理の指示命令を行うコマンド名の音声入力を、短縮コマンド名によってより確実に行えるようにすることができる。
【００２１】
請求項２に記載の発明によれば、請求項１に記載の発明と同様の効果が得られるのは無論のこと、第１の音声入力モードが選択された場合は、文字情報とコマンド名とを比較し、第２の音声入力モードが選択された場合は、当該文字情報と裏コマンド名とを比較する。一般に、音声認識は、認識対象とする音声が短い程その認識率が高まる。このため、ユーザが予め第２の音声入力モードを選択して裏コマンド名を発声することで、より確実にコマンド名の指示命令を実行させることができる。
【００２２】
請求項３に記載の発明によれば、請求項１に記載の発明と同様の効果が得られるのは無論のこと、第１及び第２の音声入力モードの何れかを、音声認識により変換された文字情報に基づいて選択する。このため、ユーザは、音声入力モードの選択をコマンド入力装置に接触することなく行うことができる。
【００２３】
請求項４及び１０に記載の発明によれば、音声認識を行って変換した文字情報に類似するコマンド名を識別文字情報と共に一覧表示する。そして、更に音声認識を行って変換した文字情報が表示した識別文字情報と一致した場合、当該識別文字情報に対応付けられたコマンド名の指示命令を実行する。このため、音声認識に失敗したとしても、音声入力に類似するコマンド名が一覧表示されるため、ユーザは、そのコマンド名の中から所望のコマンド名を選択して、コマンド名の指示命令を実行させることができる。
【００２４】
また、識別文字情報は、コマンド名よりも字数が短いため、ユーザが識別文字情報を音声入力した場合には、音声認識の認識率が高まると共に、識別文字情報との比較の精度も向上する。従って、医用画像に関する特定処理の指示命令を行うコマンド名の音声入力を、識別文字情報の音声入力によりより確実且つ迅速に行えるようにすることができる。
【００２５】
請求項５に記載の発明によれば、請求項４に記載の発明と同様の効果が得られるのは無論のこと、音声認識により変換した文字情報と先頭一致するコマンド名を抽出して表示する。このため、例えば、ユーザが、所望のコマンド名の先頭部分を音声入力することで、その先頭部分で始まるコマンド名が一覧表示される。従って、ユーザは、一覧表示されたコマンド名の中から所望のコマンド名を音声入力により選択できるため、音声認識に失敗した場合のように繰り返し音声入力する手間が省け、コマンド名の音声入力を迅速に行うことができる。
【００２６】
請求項６又は７に記載の発明によれば、請求項４又は５に記載の発明と同様の効果が得られるのは無論のこと、抽出したコマンド名をユーザの使用頻度の高い順に一覧表示してもよいし、直前に実行した指示命令のコマンド名と関連性のあるコマンド名を一覧表示することとしてもよい。これにより、ユーザは、その一覧表示されたコマンド名に従って、実際の使用状況に即したコマンド名の音声入力ができる。
【００２７】
請求項８に記載の発明によれば、請求項１〜７の何れか一項に記載の発明と同様の効果が得られるのは無論のこと、医用画像の外部機器への転送、記憶部への書き込み及び表示部への表示の少なくとも何れかをコマンド名の音声入力に従って実行する。
【発明を実施するための最良の形態】
【００２８】
以下、本発明のコマンド入力装置を医用画像転送装置（以下、単に「転送装置」という。）に適用し、当該転送装置を有する医用画像出力システムの実施形態について、図１〜図１０を参照して詳細に説明する。
【００２９】
〔システム構成〕
先ず、医用画像出力システムＳのシステム構成について説明する。図１は、医用画像出力システムＳのシステム構成の一例を示す図である。図１によれば、医用画像出力システムＳは、複数のモダリティＭそれぞれに接続された転送装置１と、出力装置９としてのイメージャ３、サーバ５及びカラープリンタ７とが通信ネットワークＮを介して接続されて構成されている。
【００３０】
モダリティＭは、Ｘ線撮影装置や超音波診断装置、内視鏡診断装置、ＣＴ等であり、撮影・生成した医用画像のデータ信号を転送装置１に出力する。このモダリティＭには、撮影した医用画像をＤＩＣＯＭ規格に従ったデジタルデータに変換して出力するものと、当該医用画像をビデオ信号やデジタルデータのデータ信号で出力するものとがある。
【００３１】
イメージャ３は、転送装置１から転送されたＤＩＣＯＭ規格に準拠した画像データに基づいて、熱感光フィルム上に医用画像の画像形成を行って出力する。熱感光フィルムは、ＰＥＴ（ポリエチレンテレフタレート）等の支持体上に、感光性及び感熱性の感光材料を含有する乳剤が塗布されて、感光層が形成されたものである。
【００３２】
サーバ５は、表示装置や大容量の記憶装置等を備えた一般的なコンピュータにより構成され、転送装置１から転送された画像データを記憶装置に蓄積記憶（ストレージ）したり、当該画像データに基づいて医用画像を表示装置に表示出力したりするビューワとして機能する。カラープリンタ７は、レーザープリンタ等により構成され、転送装置１から転送された画像データに基づいて記録紙上に医用画像を画像形成して出力・排紙する。
【００３３】
転送装置１は、モダリティＭから出力された医用画像のデータ信号を、ユーザの指示命令に従って選択された出力装置９に応じたデータ形式の画像データに変換し、当該画像データを通信ネットワークＮを介して転送する。また、転送装置１は、変換した画像データをユーザの指示命令に従って内部のメモリに一時的に記憶したり、当該画像データをモダリティＭに再生表示させたりする。これらの画像データに関する様々な機能を、医用画像に関する特定処理という。
【００３４】
これらの医用画像の出力装置９への転送、転送装置１の内部メモリへの一時的な記憶、再生表示等の各種機能に関する指示命令は、コマンド名として転送装置１のディスプレイ１５０に表示される。
【００３５】
ユーザは、ディスプレイ１５０に表示されたコマンド名の中から所望のコマンド名をキースイッチ１２０やフットスイッチ（図示略）等を押下操作することで選択して、転送装置１に当該コマンド名に対応する指示命令を行う。また、本実施形態においては、イヤーセットマイク（以下、単に「マイク」という。）１５にコマンド名を発声することで、転送装置１に当該コマンド名に対応する指示命令を行うことができる。
【００３６】
〔転送装置の構成〕
次に、転送装置１の機能構成について図２を参照して説明する。図２は、転送装置１の機能構成の一例を示すブロック図である。図２によれば、転送装置１は、ＣＰＵ（Central Processing Unit）１０と、音声入力部１２と、操作入力部１６と、表示部１９を制御するディスプレイＩ／Ｆ１８と、ビデオアンプ２１によって増幅されたデータ信号を復号するデコーダ２０と、通信部２２と、プログラムメモリ２４と、画像メモリ２６と、記憶部２８とがシステムバス３０に接続されて構成される。
【００３７】
ＣＰＵ１０は、各機能部の動作の制御と、機能部間のデータの入出力の制御等を行うことで転送装置１を統括的に管理・制御する制御部である。具体的には、操作入力部１６から入力される操作信号に応じてプログラムメモリ２４に格納されたプログラムを読み出し、当該プログラムに従った処理を実行する。そして、その処理結果に基づいて表示部１９の表示内容の更新や画像データの転送、記憶部２８への記憶等を行う。
【００３８】
また、ＣＰＵ１０は、音声認識機能１１を有する。音声認識機能１１は、音声入力部１２から入力される音声データに音声認識処理を施して当該音声データを文字列に変換する機能であり、ＨＨＭ（Hidden Markov model；隠れマルコフモデル）等の公知技術を適宜採用可能である。
【００３９】
音声認識機能１１の動作原理としては、公知技術であるため詳細な説明は省略するが、簡単に説明すると次のようになる。先ず、入力されたデジタルの音声データにＭＦＣＣ（Mel Frequency Cepstral Coefficients ）等による音声の特徴分析を行い、音声区間を検出する。そして、その検出結果に基づいて音声データの区間毎に、認識辞書と比較してパターン認識を行って、音声データを文字列に変換する。
【００４０】
ＣＰＵ１０は、Ａ／Ｄ変換器１３を介して入力された音声データに音声認識を施して文字列に変換し、その文字列がコマンド名と一致した場合は、そのコマンド名に対応する指示命令に従った処理を行う。このため、ユーザは、操作入力部１６の押下の代わりに、コマンド名を発声してマイク１５から音声入力することで、転送装置１に対する指示命令を行って、当該転送装置１を操作することができるようになる。
【００４１】
音声入力部１２は、マイク端子Ｔ１に着脱可能なマイク１５と、アンプ１４と、Ａ／Ｄ変換器１３と備えて構成される。アンプ１４は、マイク端子Ｔ１に接続されたマイク１５から入力された音声信号を増幅してＡ／Ｄ変換器１３に出力する。Ａ／Ｄ変換器１３は、アンプ１４によって増幅された音声信号をＡ／Ｄ変換して音声データとしてＣＰＵ１０に出力する。
【００４２】
操作入力部１６は、カーソルキーやテンキー等のキースイッチ１２０と、フットスイッチ等を備えて構成され、押下されたキースイッチの操作信号をＣＰＵ１０に出力する。
【００４３】
ディスプレイＩ／Ｆ１８は、ＲＧＢインターフェイスやＮＴＳＣインターフェイス等により構成され、ＣＰＵ１０の制御に基づいて表示部１９の表示素子のＯＮ／ＯＦＦを制御する。表示部１９は、図１に示すディスプレイ１５０に相当し、ＣＲＴ（Cathode-ray Tube）やＬＣＤ（Liquid Crystal Display）等により構成される。表示部１９は、ディスプレイＩ／Ｆ１８を介して入力されたＣＰＵ１０の制御に基づいた表示画面の表示や、画像データの再生表示を行う。
【００４４】
尚、画像データの再生表示は、モダリティＭが有する表示部に対して行うこととしてもよく、この場合は、画像データを例えば、ＮＴＳＣ形式のビデオ信号に変換するエンコーダと、モダリティＭにビデオ信号を出力するビデオ出力端子とを設けることで実現可能である。
【００４５】
ビデオアンプ２１は、ＮＴＳＣ（National Television Standards Committee）／ＰＡＬ（Phase Alternation by Line）コンポジットビデオ信号やＹ／Ｃコンポーネントビデオ信号、ＲＧＢセパレートビデオ信号等の入力が可能なビデオ端子Ｔ３に接続されたモダリティＭから出力されるビデオ信号を増幅してデコーダ２０に出力する。デコーダ２０は、ビデオアンプ２１によって増幅されたビデオ信号をＣＰＵ１０の制御に従って、所定のデータ形式に復号して画像データを生成する。尚、復号するデータ形式としては、ＤＩＣＯＭ形式やＪＰＥＧ形式、ＭＰＥＧ形式等があり、転送する出力装置９に応じて選択される。また、ビデオアンプ２１やデコーダ２０を介することなくＲＳ４２２形式でデジタルデータを直接入力可能なモダリティＭの場合、ビデオアンプ２１やデコーダ２０の代わりに、ＲＳ４２２レシーバを設けてもよい。
【００４６】
通信部２２は、ＬＡＮインターフェイス等により構成され、ネットワーク端子Ｔ５を介して通信ネットワークＮに接続されて、当該通信ネットワークＮを介して出力装置９のイメージャ３やサーバ５、カラープリンタ７とデータ通信する機能部である。
【００４７】
プログラムメモリ２４は、ＲＯＭ（Read Only Memory）やフラッシュＲＯＭ等によって構成され、ＣＰＵ１０が実行する初期プログラムやアプリケーションプログラム等の各種プログラムを記憶するメモリ領域である。画像メモリ２６は、ＶＲＡＭ（Video RAM）等の揮発性メモリにより構成されて、出力装置９に転送する画像データを一時的に記憶するメモリ領域である。
【００４８】
記憶部２８は、ＨＤＤ（Hard Disk Drive）や半導体メモリ等を備えて構成され、ＣＰＵ１０が実行するプログラムに係るデータや、デコーダ２０によって変換された画像データ等を記憶する不揮発性の記憶領域である。
【００４９】
〔第１実施形態〕
次に、転送装置１の第１実施形態について図３〜図５を参照して説明する。第１実施形態における転送装置１は、コマンド名の音声入力モードとして、標準モードと裏モードとが設けられる。
【００５０】
標準モードは、一つ又は複数の単語で表される標準コマンド名で転送装置１に対する指示命令を音声入力するモードである。標準コマンド名としては、例えば、画像データを記憶部２８に記憶させる指示命令としての「キロク」、表示部１９に再生表示させる指示命令としての「サイセイ」、出力装置９に転送させる指示命令としての「テンソウ」等がある。
【００５１】
裏モードは、標準コマンド名よりも短い字数の文字列又は数字の裏コマンド名で転送装置１に対する指示命令を音声入力するモードである。裏コマンド名としては、例えば、標準コマンド名の「キロク」に対応する「ケー」、「サイセイ」に対応する「エス」、「テンソウ」に対応する「ティー」等がある。
【００５２】
ユーザは、操作入力部１６のキースイッチ１２０又はフットスイッチを押下することによって、標準モード及び裏モードの何れかを選択して、その選択した音声入力モードに応じたコマンド名を発声することで、転送装置１に対する指示命令を行う。
【００５３】
図３（ａ）は、第１実施形態における記憶部２８のデータ構成の一例を示す図である。図３（ａ）によれば、記憶部２８は、入力文字列２４０と、コマンドテーブル２４２とを記憶している。入力文字列２４０は、ＣＰＵ１０が音声データに音声認識処理を施して取得した文字列である。
【００５４】
コマンドテーブル２４２は、図３（ｂ）に示すように、標準コマンド名と裏コマンド名とを番号ｎ順に対応づけて記憶するデータテーブルである。例えば、コマンドテーブルの先頭（ｎ＝１）には、標準コマンド名「キロク」と裏コマンド名「ケー」とが対応づけられて記憶されている。
【００５５】
ＣＰＵ１０は、音声入力モードとして標準モードが選択されている場合には、入力文字列２４０と標準コマンド名とを比較し、裏モードが選択されている場合には、裏コマンド名と比較する。そして、その比較の結果、一致した標準コマンド名又は裏コマンド名の指示命令が音声入力された判定して対応する処理を実行する。
【００５６】
一般に、音声認識の対象とする音声データが短いほうがその認識率が高くなる。このため、予め音声入力モードとして裏モードを選択して、ユーザが裏コマンド名を音声入力することで、その音声認識の認識率を向上させることができる。また、文字情報同士の比較は、比較の対象となる文字列の長さが短い程その精度が高くなる。このため、標準コマンド名よりも短いの裏コマンド名で比較を行うことにより、入力文字列２４０との比較の精度が高くなる。
【００５７】
次に、図４のフローチャートと、図５の表示画面例とを参照して転送装置１の具体的な動作について説明する。先ず、ＣＰＵ１０は、操作入力部１６から出力された操作信号に基づいて、ユーザが選択した音声入力モードを判定する（ステップＡ１）。そして、標準モードが選択されたと判定した場合は（ステップＡ１；標準モード）、ステップＡ３〜Ａ２１の処理を行い、裏モードが選択されたと判定した場合は（ステップＡ１；裏モード）、ステップＡ２３〜Ａ４１の処理を行う。
【００５８】
ＣＰＵ１０は、標準モードが選択されたと判定した場合は、図５（ａ）のようなコマンド入力画面１９０を表示部１９に表示させて、マイク１５からの音声入力によってＡ／Ｄ変換器１３からの音声データの入力を待機する。そして、Ａ／Ｄ変換器１３から入力された音声データに音声認識処理を施して（ステップＡ３）、音声データを文字列に変換して入力文字列２４０として記憶部２８に記憶する（ステップＡ５）。
【００５９】
次いで、ＣＰＵ１０は、コマンドテーブル２４２の先頭（ｎ＝１）の標準コマンド名をコマンド候補として選択し（ステップＡ７）、そのコマンド候補と入力文字列２４０とを比較する（ステップＡ１１）。ＣＰＵ１０は、この比較の結果、一致したと判定した場合は（ステップＡ１１；Ｙｅｓ）、コマンド候補の指示命令（コマンド）に対応する処理を実行する（ステップＡ１７）。
【００６０】
また、コマンド候補と入力文字列２４０とが一致しないと判定した場合（ステップＡ１１；Ｎｏ）、コマンド候補として選択している標準コマンド名がコマンドテーブル２４２の最後尾でなければ（ステップＡ１３；Ｎｏ）、次（ｎ＝ｎ＋１）の標準コマンド名をコマンド候補として順次選択する（ステップＡ１５）。そして、ステップＡ１９の処理に移行して、入力文字列２４０とコマンド候補とを比較する。
【００６１】
例えば、図５（ａ）のコマンド入力画面１９０において「キロク」という音声データが音声入力された場合には、入力文字列２４０としての「キロク」とコマンドテーブル２４２の標準コマンド名とを比較していく。図３（ｂ）のコマンドテーブルにおいては、先頭の標準コマンド名と入力文字列２４０とが一致すると判定して、モダリティＭから取得した画像データの記憶部２８への記憶（記録）を開始し、図５（ｂ）のメッセージ画面１９２を表示する。
【００６２】
ＣＰＵ１０は、ステップＡ１３において、コマンド候補として選択している標準コマンド名がコマンドテーブル２４２の最後尾であると判定した場合は（ステップＡ１３；Ｙｅｓ）、再度音声入力を依頼するメッセージ（例えば、「もう一度コマンドを入力して下さい」）を表示部１９に表示して（ステップＡ１９）、ステップＡ２１に移行する。
【００６３】
ＣＰＵ１０は、ステップＡ１７及びＡ１９の処理後、ユーザにより例えば、キースイッチ１２０の終了キーが押下されたと判定した場合は（ステップＡ２１；Ｙｅｓ）、標準モードによる音声入力を終了し、当該終了キーが押下されずに継続すると判定した場合は（ステップＡ２１；Ｎｏ）、ステップＡ３に移行して、ステップＡ３〜Ａ１９の処理を繰り返す。
【００６４】
一方、ＣＰＵ１０は、ステップＡ１において、裏モードが選択されたと判定した場合は、図５（ｃ）のコマンド入力画面１９４を表示すると共に、Ａ／Ｄ変換器１３から出力された音声データに音声認識処理を施し（ステップＡ２３）、その認識結果から入力文字列２４０を記憶部２８に記憶する（ステップＡ２５）。ＣＰＵ１０は、コマンドテーブル２４２の先頭（ｎ＝１）の裏コマンド名をコマンド候補として選択し（ステップＡ２７）、そのコマンド候補と入力文字列２４０とを比較する（ステップＡ３１）。
【００６５】
そして、ステップＡ３１における比較の結果、一致したと判定した場合は（ステップＡ３１；Ｙｅｓ）、コマンド候補として選択した裏コマンド名の指示命令に対応する処理を実行する（ステップＡ３７）。ＣＰＵ１０は、コマンド実行後、ステップＡ２１と同様に終了キーが押下されたと判定した場合は（ステップＡ４１；Ｙｅｓ）、裏モードによる音声入力を終了し、継続すると判定した場合は（ステップＡ４１；Ｎｏ）、ステップＡ２３に移行して、ステップＡ２３〜Ａ３９の処理を繰り返す。
【００６６】
尚、ステップＡ３１において選択した裏コマンド名（コマンド候補）と入力文字列２４０とが一致しなかった場合に行う処理（ステップＡ３３，Ａ３５，Ａ３９）は、標準モードにおけるステップＡ１３，Ａ１５，Ａ１９と同様であるためその説明は省略する。
【００６７】
例えば、音声認識を行って「ケー」という入力文字列２４０を取得した場合、この入力文字列２４０「ケー」とコマンドテーブル２４２の裏コマンド名とを比較していく。図３（ｂ）のコマンドテーブルにおいては、先頭の裏コマンド名と入力文字列２４０とが一致すると判定する。そして、その裏コマンド名に対応づけられた標準コマンド名の「キロク」の指示命令、即ち、モダリティＭから取得した画像データの記憶部２８への記憶（記録）を開始し、図５（ｂ）のメッセージ画面１９２を表示する。
【００６８】
このように、裏モードにおいては標準モードのコマンド名「キロク」よりも字数が小さい「ケー」という音声入力によって、画像データの記憶部２８への記憶を転送装置１に指示することができる。
【００６９】
以上、第１実施形態によれば、標準コマンド名よりも短い字数の裏コマンド名を当該標準コマンド名に対応づけて記憶して、裏モードにおいて音声入力された音声が裏コマンド名と一致した場合は、その裏コマンド名に対応する標準コマンド名の指示命令を実行する。これにより、標準コマンド名よりも短い音声入力で転送装置１を操作できるようになる。
【００７０】
このため、医療の現場の環境ノイズやユーザの声色の変化等の影響等を受けにくくすることができ、転送装置１に対する指示命令の音声入力をより確実に行うことができる。また、音声入力により転送装置１を操作できるため、医用画像の取り込みにおける操作が容易になると共に、ユーザの転送装置１に対する接触が減るため衛生面も改善される。
【００７１】
尚、上述した第１実施形態において、標準モードと裏モードとの選択を操作入力部１６の操作によって行うこととしたが、この音声入力モードの選択を音声入力によって行うこととしてもよい。より具体的には、標準モードを選択するためのキーワード（例えば、「ヒョウジュン」）と、裏モードを選択するためのキーワード（例えば、「ウラ」）とを予め設定しておき、これらのキーワードが音声入力されたことによって標準モードと裏モードとを切り替えることとしてもよい。これにより、ユーザは、転送装置１の操作入力部１６に接触することなく音声入力モードを選択することができる。
【００７２】
また、コマンド名を音声認識した後に、そのコマンド名の指示命令を実行することとして説明したが、そのコマンド名を一旦ユーザに確認してから実行することとしてもよい。例えば、標準モードが選択され、ステップＡ１１においてコマンド候補と入力文字列２４０とが一致すると判定した場合に、図５（ｄ）のコマンド確認画面１９６を表示部１９に表示する。そして、「ハイ」という音声データが音声入力された場合には、コマンド名の指示命令を実行し、「イイエ」という音声データが音声入力された場合は、ステップＡ１３に移行して、コマンドテーブル２４２からコマンド候補を選択して比較していく。
【００７３】
また、裏モードが選択された場合には、図５（ｅ）のコマンド確認画面１９８を表示部１９に表示する。そして、「ワイ（イエス）」という音声データが音声入力された場合に、コマンド名の指示命令を実行し、標準モードよりも字数の「エヌ（ノー）」という音声データが音声入力された場合に、ステップＡ３３に移行する。
【００７４】
このように、コマンド確認画面１９６及び１９８において音声認識したコマンド名を確認することで、誤った指示命令の実行を防止することができると共に、裏モードにおいては、その確認時の音声入力の認識率を高めることができる。
【００７５】
また、裏コマンド名を、標準コマンド名をアルファベット表記した場合の頭文字に設定することとしたが、例えば、図５（ｆ）のようなコマンド入力画面２００を表示して、「イチ（１）」、「ニ（２）」、「サン（３）」、・・・、といった数字を裏コマンド名として設定することとしてもよい。この場合も、標準コマンド名よりも短い字数に裏コマンド名を設定することができるため、第１実施形態と同様の効果が得られるのは無論である。
【００７６】
〔第２実施形態〕
次に、転送装置１の第２実施形態について図６〜図７を参照して説明する。尚、第１実施形態における転送装置１と同一の構成要素には、同一の符号を伏してその詳細な説明は適宜省略する。
【００７７】
第２実施形態における転送装置１は、音声入力モードとして標準モードと選択モードとを有して構成される。選択モードは、標準モードにおいて入力文字列２４０と一致する標準コマンド名とがなかった場合に、当該入力文字列２４０と類似するコマンド名（以下、「類似コマンド名」という。）を一覧表示して、その類似コマンド名の中からの選択を可能としたモードである。
【００７８】
図６（ａ）に、第２実施形態における記憶部２８のデータ構成の一例を示す。図６（ａ）によれば、記憶部２８は、入力文字列２４０と、コマンドテーブル２４４と、類似コマンドテーブル２４６とを記憶する。第２実施形態におけるコマンドテーブル２４４は、図６（ｂ）に示すように番号（ｎ）順に標準コマンド名を記憶するデータテーブルである。
【００７９】
類似コマンドテーブル２４６は、入力文字列２４０に類似するコマンド名をコマンドテーブル２４４から抽出して蓄積的に記憶するデータテーブルであり、図６（ｃ）に示すように番号（ｍ）順に類似コマンド名を記憶する。
【００８０】
ＣＰＵ１０は、標準モードにおいて入力文字列２４０と一致する標準コマンド名がコマンドテーブル２４４に記憶されていなかった場合は、音声入力モードを選択モードに切り替える。そして、入力文字列２４０の先頭文字を取得し、この先頭文字から始まる標準コマンド名を類似コマンド名としてコマンドテーブル２４４から抽出して、類似コマンドテーブル２４６に蓄積記憶していく。ユーザは、類似コマンドテーブル２４６の番号（ｍ）を音声入力することで、所望の類似コマンド名を選択して、当該コマンド名の指示命令を転送装置１に実行させることができる。
【００８１】
次に、第２実施形態における転送装置１の具体的な動作について、図７のフローチャートを参照して説明する。尚、第１実施形態の図４のフローチャートと同一の処理内容には、同一のステップ番号を付してその説明を省略する。
【００８２】
先ず、ＣＰＵ１０は、音声入力モードを標準モードとして、第１実施形態と同一のステップＡ３〜Ａ２１の処理を行うが、ステップＡ１３において、コマンド候補がコマンドテーブル２４４の最後尾であると判定した場合、即ち、入力文字列２４０と一致する標準コマンド名がコマンドテーブル２４４に記憶されていなかった場合（ステップＡ１３；Ｙｅｓ）、音声入力モードを標準モードから選択モードに切り替え、次の処理を行う。
【００８３】
具体的には、コマンドテーブル２４４内の先頭（ｎ＝１）の標準コマンド名をコマンド候補として選択し（ステップＢ２３）、入力文字列２４０の先頭文字と、コマンド候補の先頭文字とが一致するか否かを比較する（ステップＢ２７）。そして、比較の結果、コマンド候補と入力文字列２４０の先頭文字が一致した場合は（ステップＳ２７；Ｙｅｓ）、その標準コマンド名を類似コマンド名としてコマンドテーブル２４４に追加記憶する（ステップＢ２９）。
【００８４】
また、ステップＢ２５の比較の結果、コマンド候補と入力文字列２４０の先頭文字が一致しなかった場合、ＣＰＵ１０は、コマンド候補として選択している標準コマンド名がコマンドテーブル２４４の最後尾であるか否かを判定する（ステップＢ３１）。ＣＰＵ１０は、最後尾ではないと判定した場合は（ステップＢ３１；Ｎｏ）、次（ｎ＝ｎ＋１）の標準コマンド名をコマンドテーブル２４４の中から選択して（ステップＢ３３）、ステップＢ２５の処理に移行する。
【００８５】
例えば、音声認識の結果、「セイガ」という入力文字列２４０を取得したとする。このとき、図６（ｂ）のコマンドテーブル２４４に「セイガ」という標準コマンド名は記憶されていないため、「セ」で始まる標準コマンド名の「セイシガ」と「セッテイ」をコマンドテーブル２４４から抽出して図６（ｃ）のデータ構成の類似コマンドテーブル２４６に記憶する。このようにして、入力文字列２４０の先頭文字で始まる標準コマンド名、即ち類似する標準コマンド名を記憶した類似コマンドテーブル２４６が作成される。
【００８６】
ＣＰＵ１０は、ステップＢ３１において選択している標準コマンド名がコマンドテーブル２４４の最後尾であると判定した場合（ステップＢ３１；Ｙｅｓ）、記憶部２８から類似コマンドテーブル２４６を読み出して、図８（ａ）の類似コマンド選択画面２０２のように番号ｍと類似コマンド名とを表示部１９に一覧表示させる（ステップＢ３５）。
【００８７】
そして、例えば、「該当するコマンドの番号を数字で選択して下さい」という表示メッセージにより、選択モードに切り替わった旨を表示部１９に表示させる（ステップＢ３７）。ＣＰＵ１０は、Ａ／Ｄ変換器１３からの音声データの入力を待機し、出力された音声データに音声認識処理を施し（ステップＢ３９）、その認識結果から取得した文字列を入力文字列２４０として記憶部２８に記憶する（ステップＢ４１）。
【００８８】
そして、類似コマンドテーブル２４６の先頭番号（ｍ＝１）を選択し、この番号と入力文字列２４０とを比較する（ステップＢ４３）。ＣＰＵ１０は、ステップＢ４３における比較の結果、一致すると判定した場合は（ステップＢ４５；Ｙｅｓ）、ステップＡ１７に処理を移行し、その番号ｍに対応する類似コマンド名の指示命令を実行する（ステップＡ１７）。
【００８９】
一方、ステップＢ４５において、一致しないと判定した場合は（ステップＢ４５；Ｎｏ）、次の番号（ｍ＝ｍ＋１）を順次選択して（ステップＢ４９）、入力文字列２４０と番号ｍとを比較する。ＣＰＵ１０は、この番号ｍの選択と比較を繰り返し、選択した番号ｍが類似コマンドテーブル２４６の最後尾であると判定した場合は（ステップＢ４７）、再度音声入力を依頼する旨を表示部１９に表示して（ステップＢ５１）、ステップＢ２３に処理を移行する。
【００９０】
例えば、図８（ａ）の類似コマンド選択画面２０２の表示後、音声認識の結果、「イチ」という入力文字列２４０を取得した場合、ＣＰＵ１０は、類似コマンドテーブル２４６において番号ｍ＝１に対応する類似コマンド名「セイシガ」の指示命令を実行する。具体的には、モダリティＭから静止画の画像データを取得する静止画モードに移行して、図８（ｂ）のようなコマンド入力画面２０４を表示し、静止画モードにおけるコマンド名の入力を待機する。
【００９１】
そして、次に入力文字列２４０として「キ」を取得した場合、「キ」という標準コマンド名をコマンドテーブル２４４を記憶していないため、「キ」で始まる標準コマンド名を抽出して、図８（ｃ）の類似コマンド選択画面２０６を表示する。ユーザは、この表示されたコマンド名の中から、所望のコマンド名の番号を音声で選択することで、図８（ｄ）のように静止画の画像データの記録を開始させる。
【００９２】
以上、第２実施形態によれば、標準モードにおいて音声認識して取得した入力文字列２４０と標準コマンド名とが一致しなかった場合は、コマンドテーブル２４４の中から類似コマンド名を抽出して一覧表示する。そして、類似コマンド名と共に表示した番号がユーザにより音声入力された際に、その番号に対応する類似コマンド名の指示命令を実行する。
【００９３】
これにより、音声認識の認識率が低下した場合にも、ユーザの音声入力に類似するコマンド名の中から、番号という短い字数の音声入力でコマンド名を選択できる。このため、転送装置１に対する指示命令をより確実に行うことができると共に、外部環境の悪い中でも、転送装置１に対する指示命令の音声入力をより迅速に行うことができる。
【００９４】
尚、上述した第２実施形態では、類似コマンド名と共に番号を表示することとしたが、例えば、“Ａ”、“Ｂ”、“Ｃ”といったアルファベット等の文字情報を類似コマンド名と共に表示し、アルファベットにより類似コマンド名を選択可能としても同様の効果が得られることは無論である。
【００９５】
また、類似コマンド名を入力文字列２４０の先頭文字と一致するか否かによって抽出することとしたが、例えば、入力文字列２４０の先頭と最後尾の文字それぞれと、コマンド名の先頭と最後尾の文字それぞれとが一致するコマンド名を類似コマンド名として抽出することとしてもよいし、入力文字列２４０の母音の配列と一致するコマンド名を類似コマンド名として抽出することとしてもよい。このように、類似コマンド名を抽出する条件設定を変更することで、ユーザの音声入力により近似するコマンド名を抽出することができるようになる。
【００９６】
また、標準コマンド名のユーザの使用頻度に応じて、類似コマンド名の表示順序を変更することとしてもよい。この場合、コマンドテーブル２４４の標準コマンド名に、その標準コマンド名がユーザにより選択された回数を記憶しておく。そして、抽出した類似コマンド名を一覧表示する際は、対応付けられた回数の降順に整列して表示する。これにより、ユーザは、使用頻度の高いコマンド名を容易に選択して音声入力することができるようになる。
【００９７】
また、類似コマンドテーブル２４６として記憶した類似コマンド名のうち、転送装置１の処理状態に応じて実行可能な指示命令の類似コマンド名が一つだった場合は、その指示命令をそのまま実行することとしてもよい。具体的には、図８（ｄ）のコマンド入力画面２０８の表示時に音声入力が為されて、「テ」という入力文字列２４０を取得したとする。このとき、類似コマンド名として「テンソウ」と「テイシ」を抽出する。
【００９８】
そして、静止画の画像データの記録中に実行可能なコマンドが「テイシ」であった場合は、そのまま画像データの記録を停止して、図８（ｅ）のようなコマンド入力画面２１０を表示させる。これにより、より迅速に転送装置１に対する指示命令を行えるようになる。
【００９９】
また、ユーザの音声入力を待機する際には、ＣＰＵ１０が直前に実行したコマンドと関連性の高いコマンド名を一覧表示することとしてもよい。図９は、コマンド名の関連性を階層化して示したツリー構造の一例である。
【０１００】
例えば、コマンド名「ドウガ（動画）」と関連性の高いコマンド名として、「キロク（記録）」、「サイセイ（再生）」、「テンソウ（転送）」、「ショウキョ（消去）」及び「キャンセル」があり、そのうちの「キロク」と関連性の高いコマンド名として「カイシ（開始）」と「キャンセル」とがある。これらの関連性を、図９のように予め階層化しておく。
【０１０１】
ＣＰＵ１０は、転送装置１の初期状態において、最上層のコマンド名を図１０（ａ）のコマンド入力画面２１２のように表示させる。そして、入力文字列２４０として「セ」を取得した場合には、最上層のコマンド名のうち、「セ」で始まるコマンド名、即ち、「セイシガ（静止画）」と「セッテイ（設定）」と抽出して、図１０（ｂ）のように表示させる。
【０１０２】
そして、例えば、「イチ」という入力文字列２４０を取得した際には、図１０（ｃ）のように静止画モードに移行するように、その入力文字列２４０に基づいて音声入力により選択された番号に対応するコマンドを実行する。このとき、選択されたコマンド名「セイシガ」の下層のコマンド名である「キロク（記録）」、「サイセイ（再生）」、「テンソウ（転送）」、「ショウキョ（消去）」及び「キャンセル」を表示させて、次の音声入力を待機する。
【０１０３】
次いで、入力文字列２４０として「キ」を取得した際には、図１０（ｄ）のコマンド入力画面２１８のように「キ」で始まるコマンド名を表示する。ユーザは、このコマンド名の中から「キロク（記録）」を音声入力で選択すると、図１０（ｅ）のように更に下層のコマンド名「カイシ（開始）」及び「キャンセル」が表示される。
【０１０４】
ＣＰＵ１０は、入力文字列２４０として「カ」を取得すると、「カ」で始まるコマンド名の指示命令、即ち、静止画の画像データの記録を開始し、その下層の「テイシ（停止）」を図１０（ｆ）のように表示する。このとき、「テイシ（停止）」の下層にコマンド名はない。この場合、ＣＰＵ１０は、「テ」という入力文字列２４０を取得した際には、画像データの記録を停止すると共に、「テイシ（停止）」の上層のコマンド名「カイシ（開始）」及び「キャンセル」を図１０（ｇ）のように表示する。
【０１０５】
このように、ユーザが選択したコマンド名と関連例の高いコマンド名が表示されるため、ユーザは、表示部１９に表示されていくコマンド名の中から逐次選択することで、転送装置１の実際の使用に即した順序でコマンド名を選択してくことができる。
【図面の簡単な説明】
【０１０６】
【図１】医用画像出力システムのシステム構成の一例を表すブロック図。
【図２】転送装置の機能構成の一例を示すブロック図。
【図３】第１実施形態における（ａ）は記憶部、（ｂ）はコマンドテーブルそれぞれのデータ構成の一例を示す図。
【図４】第１実施形態における転送装置の具体的な動作を説明するためのフローチャート。
【図５】第１実施形態における転送装置の表示画面の一例。
【図６】第２実施形態における（ａ）は記憶部、（ｂ）はコマンドテーブル、（ｃ）は類似コマンドテーブルそれぞれのデータ構成の一例を示す図。
【図７】第２実施形態における転送装置の具体的な動作を説明するためのフローチャート。
【図８】第２実施形態における転送装置の表示画面の一例。
【図９】コマンド名の関連性を階層化して示したツリー構造の一例。
【図１０】変形例における転送装置の表示画面の一例。
【符号の説明】
【０１０７】
Ｓ      医用画像出力システム
１      転送装置
９      出力装置
１１    音声認識機能
１２    音声入力部
１３    Ａ／Ｄ変換器
１４    アンプ
１５    マイク
１６    操作入力部
１９    表示部
２２    通信部
２４    プログラムメモリ
２６    画像メモリ
２８    記憶部
２４０  入力文字列
２４２  コマンドテーブル
２４４  コマンドテーブル
２４６  類似コマンドテーブル
【図１】
2007226388.tif 000003
【図２】
2007226388.tif 000004
【図３】
2007226388.tif 000005
【図４】
2007226388.tif 000006
【図５】
2007226388.tif 000007
【図６】
2007226388.tif 000008
【図７】
2007226388.tif 000009
【図８】
2007226388.tif 000010
【図９】
2007226388.tif 000011
【図１０】
2007226388.tif 000012